(57)【特許請求の範囲】
【請求項１】
消弧装置の周辺に設置されたラッチ受けと、このラッチ受けを背面から係止するトリップクロスバーとを備え、前記ラッチ受けは可動接触子との間で開閉スプリングのばね力を受けるラッチを常時係止するとともに、過電流発生時には前記トリップクロスバーによる係止を解かれて回動し、前記ラッチの係止を解いて前記可動接触子を開離動作させる回路遮断器において、
前記ラッチ受けに、前記トリップクロスバーの前記ラッチ受けとの係合部を前記消弧装置の飛散物から遮蔽する保護カバーを装着したことを特徴とする回路遮断器。
【請求項２】
前記保護カバーに、前記ラッチ受けとトリップクロスバーとの間に装着されるリセットスプリングの受け部を設けたことを特徴とする請求項1記載の回路遮断器。
【発明の詳細な説明】
【０００１】
【発明の属する技術分野】
この発明は、配電盤や制御盤において過電流保護器として用いられる配線用遮断器や漏電遮断器などの回路遮断器に関し、詳しくは電流遮断時の溶融飛散物を遮蔽する手段に関する。
【０００２】
【従来の技術】
図３は従来構成を示す回路遮断器の概略縦断面図である。図３において、モールドケース１内には、電源側端子２、電源側端子２と一体の固定接触子３、接点を介して固定接触子３と接離する可動接触子４、一端が可動接触子４に接続されたリード線５、一端がリード線５の他端に接続された過電流引外し装置６のコイル６ａ、コイル６ａの他端が接続された負荷側端子７により通電路が形成されている。８は開閉ハンドルで軸９によりモールドケース１に回動支持され、可動接触子４は軸１０を介して開閉ハンドル８に連結されている。１１は樹脂成形品のラッチで一端で軸１２によりモールドケース１に回動可能に支持され、他端はラッチ受け１３に係止されている。ラッチ１１と可動接触子４との間には引張ばねからなる開閉スプリング１４が掛けられ、図示オン状態で可動接触子４は軸１０を支点に時計方向の回転力を受け、可動接点を介して固定接触子３の固定接点に適度の接触圧力で押圧されている。
【０００３】
ラッチ受け１３は鋼鈑からなり、平板状の受け部１３ａの両側に左右一対の腕部１３ｂが折り曲げ形成され、その上端で軸１５によりモールドケースに回動可能に支持されている。受け部１３ａの上端面は図示の通り斜面に形成され、ラッチ１１はこの斜面に係合している。ラッチ受け１３はラッチ１１から、軸１５を支点に反時計方向の回転力を受けるが、受け部１３ａの背面に爪１６ａが係合するトリップクロスバー１６により係止されて静止している。受け部１３ａの爪１６ａが係合する部分の近傍には、窓穴１３ｂがあいている。トリップクロスバー１６は樹脂からなる棒状体で回路遮断器の各極に跨るように横方向に延び、モールドケース１に回動可能に支持されている。トリップクロスバー１６には、過電流引外し装置６のアーマチュア６ｂに対向するように突片１６ｂが設けられ、この突片１６ｂとラッチ受け１３との間には、圧縮ばねからなるリセットスプリング１７が挿入されている。１８は消弧装置で磁性体によりＵ字状に形成され、可動接触子４の開閉経路を囲むように上向きに設置されている。
【０００４】
このような回路遮断器において、図示オン状態から開閉ハンドル８を右方向にオフ操作すると、可動接触子４の連結軸１０が開閉スプリング１４の軸線Ｘを図３の右から左に通過する死点を境に、可動接触子４に対する開閉スプリング１４のばね作用が反転し、可動接触子４は反時計方向に回転力を受けて固定接触子３から開離する。
【０００５】
一方、電流が過電流状態になると過電流引外し装置６がアーマチュア６ｂを吸引し、図示状態から反時計方向に回動したアーマチュア６ｂは一端でトリップクロスバー１６の突片１６ｂを蹴り出して、トリップクロスバー１６を時計方向に回動させる。その結果、爪１６ａはラッチ受け１３の係合部から外れて窓穴１３ｂに落ち込み、これにより係止を解かれたラッチ受け１３は反時計方向に回動してラッチ１１から外れる。これに伴い、ラッチ１１も係止を解かれ、時計方向に回動する。そして、開閉スプリング１４の軸線Ｘが可動接触子４の連結軸１０を図３の左から右に通過する死点越えが生じると、可動接触子４に対する開閉スプリング１４のばね作用が反転し、可動接触子４は反時計方向に回転力を受けて固定接触子３から開離する（トリップ動作）。図４は、このトリップ動作状態を示している。その際、固定・可動接点間にはアークが発生し、このアークは磁性体からなる消弧装置１８に吸引されて伸張し、アーク電圧が上昇して消弧される。
【０００６】
【発明が解決しようとする課題】
上記した従来の回路遮断器において、ラッチ受け１３は消弧装置１８の周辺に設置されているため、短絡事故のような大電流を遮断した際には、アークとの接触により消弧装置１８から発生する金属溶融物や蒸気が、図４に矢印で示すように飛散し、トリップクロスバー１６のラッチ受け１３との係合部、つまり爪１６ａに付着することがあった。そのため、回路遮断器を再投入して使用する場合、ラッチ受け１３と爪１６ａとの係合面の摩擦力が増大し、過電流引外し装置６が動作しても係止を解くことができず、従って遮断が不能になる危険があった。
この発明の課題は、このような現象に対処し、回路遮断器の動作信頼性を高めることにある。
【０００７】
【課題を解決するための手段】
上記課題を解決するために、この発明は、消弧装置の周辺に設置されたラッチ受けと、このラッチ受けを背面から係止するトリップクロスバーとを備え、前記ラッチ受けは可動接触子との間で開閉スプリングのばね力を受けるラッチを常時係止するとともに、過電流発生時には前記トリップクロスバーによる係止を解かれて回動し、前記ラッチの係止を解いて前記可動接触子を開離動作させる回路遮断器において、前記ラッチ受けに、前記トリップクロスバーの前記ラッチ受けとの係合部を前記消弧装置の飛散物から遮蔽する保護カバーを装着するものである(請求項１)。請求項１によれば、電流遮断時に消弧装置側から飛んでくる飛散物は保護カバーにより遮られるので、トリップクロスバーの係合部は初期の状態が維持され、回路遮断器のリセット後に再投入したとしても、過電流引外し機能が飛散物で阻害されることがない。前記保護カバーには、前記ラッチ受けとトリップクロスバーとの間に装着されるリセットスプリングの受け部を設けることができる（請求項２）。
【０００８】
【発明の実施の形態】
図１は、この発明の実施の形態を示す回路遮断器の概略縦断面図である。図１において、従来と相違するのは、ラッチ受け１３に保護カバー１９が装着されている点である。図２に保護カバー１９の斜視図を拡大して示す。保護カバー１９は耐熱性の樹脂により図２の形状に成形され、溝１９ａを介してラッチ受け１３の受け部１３ａにその下端部から嵌め込み装着される。ラッチ受け１３の窓穴１３ｂに対応して凹部１９ｂが形成され、トリップクロスバー１６の爪１６ａが窓穴１３ｂに落ち込んだときの逃げ部を形成している。保護カバー１９は、図１に示すように、ラッチ受け１３の窓穴１３ｂに消弧装置１８側から被さり、トリップクロスバー１６のラッチ受け１３との係合部（爪１６ａ）を覆っている。これにより、図３に示したように、短絡電流遮断時に消弧装置１８から金属の溶融物や蒸気がラッチ受け１３に向って飛散したとしても、それらが爪１６ａに付着することがない。また、図２において、保護カバー１９にはばね受け部としての円形凹部１９ｃが設けられ、図１に示すようにリセットスプリング１７の一端を円形凹部１９ｃで受けている。ばね受け凹部１９ｃは保護カバー１９の成形時に同時成形できるので、ラッチ受け１３にプレス加工により突起などを形成するよりも簡単で安価である。
【０００９】
【発明の効果】
以上の通り、この発明によれば、ラッチ受けに、トリップクロスバーのラッチ受けとの係合部を遮蔽する保護カバーを装着することにより、電流遮断時の金属溶融物などが付着してラッチ受けとトリップクロスバーとの間の摩擦力が増大することを防止し、短絡事故などの大電流遮断後の回路遮断器の再投入においても過電流引外し機能を正常に維持することができる。
【図面の簡単な説明】
【図１】この発明の実施の形態を示す回路遮断器の概略縦断面図である。
【図２】図１における保護カバーの拡大斜視図である。
【図３】従来例を示す回路遮断器の概略縦断面図である。
【図４】図３の回路遮断器のトリップ状態を示す要部縦断面図である。
【符号の説明】
３    固定接触子
４    可動接触子
６    過電流引外し装置
１１    ラッチ
１３    ラッチ受け
１６    トリップクロスバー
１６ａ  爪
１７    リセットスプリング
１８    消弧装置
１９    保護カバー
【図１】
0003937208.tif 000002
【図２】
0003937208.tif 000003
【図３】
0003937208.tif 000004
【図４】
0003937208.tif 000005